(57)【特許請求の範囲】
【請求項１】
食材をすりおろすすりおろし部と、このすりおろし部ですりおろしたすりおろし食材を収容する収容体とから成り、前記すりおろし部は、先端部に前記収容体に収容された前記すりおろし食材をこの収容体の一側に寄せる寄せ板部を垂設すると共に、基端部に握持部を設けた構成とし、前記収容体は、前記すりおろし部を該収容体の上部開口部に被嵌した際に、この被嵌したすりおろし部の基端部に設けた前記握持部と重なり合う収容体側握持部を基端部に設けた構成とし、前記寄せ板部は、前記収容体の短手方向の断面形状と合致する大きさの方形状に形成し前記すりおろし食材を寄せる際に前記すりおろし食材が通過せずおろし汁が通過する大きさに形成した通水孔を複数設けた構成とし、この通水孔を設けた寄せ板部は、水平方向に前記通水孔を複数並設した通水孔群を、この寄せ板部の上下方向に並設して、前記通水孔が前記寄せ板部の上部にまで至るように形成した構成として、前記寄せ板部を前記収容体の基端側壁面に近づけて、前記収容体内の前記すりおろし食材を寄せ搾り前記すりおろし食材に含まれる水分量を好みに合わせて調節し得るように構成したことを特徴とするおろし器。
【請求項２】
前記収容体の基端側の底面に凸部を設けて、前記収容体を水平面上に載置した際、前記凸部により前記収容体の基端側が先端側より高くなり、前記収容体が先端側に向かって下がり傾斜状態となるように構成したことを特徴とする請求項１記載のおろし器。
【発明の詳細な説明】
【技術分野】
【０００１】
本発明は、大根や生姜などをすりおろす際に用いるおろし器に関するものである。
【背景技術】
【０００２】
従来、大根や生姜などをすりおろす際には、金属板に鋭利な突起を多数突設した所謂おろし金が用いられており、また、最近では、おろし金の表面に開口部を設け、この開口部よりすりおろした食材が落下し、これを受け止める収容体とで構成されたおろし器や自動で回転しているすりおろし部に食材を押し付けてすりおろす所謂フードプロセッサーが多く用いられるようになった。
【０００３】
また、このようなおろし器ですりおろした食材は、食材から多くのおろし汁が出るので、このおろし汁とすりおろした食材とを分離し、分離したおろし汁は捨てたり別の用途に使用したりしている。
【０００４】
また、好みによっては、分離したすりおろした食材を更に搾って、すりおろした食材に含まれる水分量を調節して食すこともある。
【０００５】
このようなすりおろした食材とおろし汁とを分離する作業や、すりおろした食材に含まれる水分量を調整する搾り作業は、大抵の場合は、人がすりおろした食材を直接手で掴みあげたり、絞ったりしている。
【０００６】
また、上述のように直接手で食材を掴んだり搾ったりする作業は不衛生な面もあり、また、作業自体も厄介なものであるため、例えば実開平０５−１８４４２号のように、おろし部の下方に網材などの濾部材を設けて水切りを行うものが提案されている。
【０００７】
しかしながら、このようなおろし器ではすりおろした食材に含まれる水分を更に搾る場合には、やはり、濾部材上のすりおろした食材を掴み上げて搾るか、この濾部材上のすりおろした食材を他の器具を用いて押し潰して水分を押し出す作業が必要であった。
【先行技術文献】
【特許文献】
【０００８】
【特許文献１】実開平０５−０１８４４２号公報
【発明の概要】
【発明が解決しようとする課題】
【０００９】
そこで本発明は、すりおろしたすりおろし食材とおろし汁とを容易に分離し、更に、すりおろし食材を搾り、このすりおろし食材に含まれる水分量を好みの水分量に調節することが容易にできるおろし器を提供することを目的としている。
【課題を解決するための手段】
【００１０】
添付図面を参照して本発明の要旨を説明する。
【００１１】
食材をすりおろすすりおろし部１と、このすりおろし部１ですりおろしたすりおろし食材２を収容する収容体３とから成り、前記すりおろし部１は、先端部に前記収容体３に収容された前記すりおろし食材２をこの収容体３の一側に寄せる寄せ板部４を垂設すると共に、基端部に握持部６を設けた構成とし、前記収容体３は、前記すりおろし部１を該収容体３の上部開口部５に被嵌した際に、この被嵌したすりおろし部１の基端部に設けた前記握持部６と重なり合う収容体側握持部15を基端部に設けた構成とし、前記寄せ板部４は、前記収容体３の短手方向の断面形状と合致する大きさの方形状に形成し前記すりおろし食材２を寄せる際に前記すりおろし食材２が通過せずおろし汁９が通過する大きさに形成した通水孔８を複数設けた構成とし、この通水孔８を設けた寄せ板部４は、水平方向に前記通水孔８を複数並設した通水孔群を、この寄せ板部４の上下方向に並設して、前記通水孔８が前記寄せ板部４の上部にまで至るように形成した構成として、前記寄せ板部４を前記収容体３の基端側壁面７に近づけて、前記収容体３内の前記すりおろし食材２を寄せ搾り前記すりおろし食材２に含まれる水分量を好みに合わせて調節し得るように構成したことを特徴とするおろし器に係るものである。
【００１２】
また、前記収容体３の基端側の底面に凸部を設けて、前記収容体３を水平面上に載置した際、前記凸部により前記収容体３の基端側が先端側より高くなり、前記収容体３が先端側に向かって下がり傾斜状態となるように構成したことを特徴とする請求項１記載のおろし器に係るものである。
【発明の効果】
【００１３】
本発明は上述のように構成したから、すりおろし食材とおろし汁とを容易に分離することができ、しかも、寄せ板部ですりおろし食材を収容体の壁面に押し付けることですりおろし食材に含まれる水分を押し搾ることができるので、一々手で掴み上げて搾らなくても容易にすりおろし食材に含まれる水分量を好みの水分量に調節することができる画期的なおろし器となる。
【図面の簡単な説明】
【００１４】
【図１】本実施例示す分解斜視図である。
【図２】本実施例を示す斜視図である。
【図３】本実施例の使用状態を示す一部を切欠いた説明側面図である。
【図４】本実施例の使用状態を示す一部を切欠いた説明側面図である。
【図５】本実施例の使用状態を示す一部を切欠いた説明側面図である。
【発明を実施するための形態】
【００１５】
好適と考える本発明の実施形態（発明をどのように実施するか）を、図面に基づいて本発明の作用を示して簡単に説明する。
【００１６】
すりおろし部１ですりおろしたすりおろし食材２を収容体３内に収容し、このすりおろし食材２が収容された収容体３内に寄せ板部４を入れたままの状態ですりおろし部１を収容体３の一側方向に移動させることで、この収容体３に収容されたすりおろし食材２を、この収容体３の一側に寄せることができ、この際に、寄せ板部４に設けた通水孔８からおろし汁９が寄せ板部４の反対側に流れ出て、このすりおろし食材２を収容体３の一側に寄せた状態で収容体３の他側を下方に向けてこの収容体３を傾けることで、寄せ板部４がすりおろし食材２を堰き止めるので、おろし汁９だけが他側方向に移動し、すりおろし食材２とおろし汁９とを容易に分離することができ、おろし汁９だけを収容体３から排出することができることとなる。
【００１７】
また、この寄せ板部４を更に一側方向に移動させ、すりおろし食材２を更に一側に寄せることで、このすりおろし食材２が寄せ板部４と収容体３の一側壁面との間で押し付けられた状態となり、寄せ板部４と収容体３の一側壁面とですりおろし食材２を圧搾することとなり、このすりおろし食材２に含まれる水分量を好みに合わせて調節することができることとなる。
【実施例】
【００１８】
本発明の具体的な実施例について図面に基づいて説明する。
【００１９】
本実施例は、食材をすりおろすすりおろし部１を、すりおろしたすりおろし食材２を収容する収容体３の上部開口部５に被嵌状態に着脱自在に設け、このすりおろし部１に、収容体３内のすりおろし食材２を一側に寄せたり堰止めしたりする寄せ板部４を設けたおろし器である。
【００２０】
具体的には、すりおろし部１はステンレス製の平板に複数の食材落下孔10を並設し、この食材落下孔10の周囲に複数の突起部11を設けたおろし金部12と、基端部に握持部６を突設し、先端部に寄せ板部４を垂設した合成樹脂製のフレーム部13とで構成されている。
【００２１】
また、収容体３は合成樹脂製の直方体の上部を開口し上部開口部５を設け、この上部開口部５の先端側におろし汁排出口14を設け、基端側に収容体側握持部15を設けている。
【００２２】
すりおろし部１のフレーム部13の先端部に垂設した寄せ板部４は、収容体３の短手方向の断面形状と略合致する大きさの方形状に形成し、更に、表面には上下方向に長さを有する長孔の通水孔８を多数形成して、この通水孔８を上下２段に分けて水平方向に並設している。
【００２３】
このように寄せ板部４に通水孔８を設けることで、収容体３内に収容されているすりおろし食材２とおろし汁９とを分離するために、寄せ板部４ですりおろし食材２を収容体３の基端側に引き寄せ、収容体３の先端側を下方に向けて収容体３を傾斜させておろし汁９を先端側に設けたおろし汁排出口14を通じて収容体３外に排出する際に、収容体３の基端側に引き寄せたすりおろし食材２が先端側に移動するのを堰止めし、おろし汁９のみを先端側に移動させることができるので容易にすりおろし食材２とおろし汁９とを分離することができる。
【００２４】
尚、本実施例の寄せ板部４は、収容体３内に収容されたすりおろし食材２を収容体３の基端側に引き寄せる際に、すりおろし食材２のみを引き寄せ、収容体３内に混入しているおろし汁９を寄せ板部４の反対側に流し出すように構成したものであり、このような効果を発揮することができる寄せ板部４であれば、寄せ板部４の形状や大きさは、適宜採用し得るものであり、例えば寄せ板部４は櫛形に形成しても良い。
【００２５】
また、寄せ板部４を更に収容体３の基端側に引き寄せ、すりおろし食材２を収容体３の基端側壁面７に押し付けすりおろし食材２に含まれる水分を圧搾する際にも、この通水孔８を通じてすりおろし食材２に含まれるおろし汁９のみが収容体３の先端側に移動するので、排出するおろし汁９に殆どすりおろし食材２が混入しない状態となる。
【００２６】
尚、本実施例ではおろし金部12にステンレスを用いて形成しているが、おろし金部12は例えばアルミなど水と接触しても腐食せず用途に適した他の金属でも良く、または合成樹脂（プラスチック）を用いて形成しても良い。
【００２７】
次に本実施例の使用方法について説明する。
【００２８】
収容体３の上部開口部５にすりおろし部１を上方より被嵌し一の手で握持部６を握持し、他の手ですりおろす食材を掴みおろし金部12に押し付ける。
【００２９】
この食材をおろし金部12に押し付けた状態で前後方向に往復移動することで、おろし金部12に設けた突起部11で食材が切削されてすりおろし状態となり、このすりおろしたすりおろし食材２が食材落下孔10から下方に設けられた収容体３に落下する。
【００３０】
この収容体３の基端側の底面には、板状凸条部16が短手方向に突設されており、この板状凸条部16によって収容体３を例えば流し台や机などの水平面上に置いた場合、収容体３の基端側が先端側より高くなり、収容体３が先端側に向いて傾斜する構成としている。
【００３１】
従って、食材をすりおろした際に、すりおろし食材２とおろし汁９が収容体３に落下するが、おろし汁９はこの傾斜によって先端側に移動してくるので、食材をすりおろしている最中もすりおろし食材２とおろし汁９との分離作用が意図せず行われていることとなる。
【００３２】
食材をすり終えた後に、収容体３に収容されたすりおろし食材２とおろし汁９とを分離し、おろし汁９のみを収容体３の外へ排出するために、一の手ですりおろし部１の基端部に突設した握持部６を握持し、他の手で収容体側握持部15を握持して、すりおろし部１の基端側を少し上方に持ち上げて、すりおろし部１の先端側の左右の縁が収容体３の上部開口部の左右の縁に当接状態となるようにし、この当接状態を保持したまま収容体３の上部開口部の左右の縁に沿って一の手で握持しているすりおろし部１を基端側に引き、寄せ板部４を収容体３の基端側に引き寄せることで、寄せ板部４によって収容体３内に収容されているすりおろし食材２が基端側に寄せられ、収容体３の先端側にはおろし汁９のみが分離された状態で存在することとなる。
【００３３】
このとき、収容体３の先端側を少し下方に向けるよう他の手で握持している収容体側握持部15を少し上方に持ち上げるとおろし汁９が収容体３の先端側に流れ集まり易くなる。
【００３４】
このように、すりおろし食材２を収容体３の基端側、おろし汁９を収容体３の先端側に分離した状態のまま、更に収容体３の基端側を上方に持ち上げる（収容体３の先端側を下方に向ける）ことで、分離したおろし汁９がおろし汁排出口14より収容体３外に排出されるが、すりおろし食材２は寄せ板部４に堰止められた状態となり、殆ど収容体３の外に排出されることが無いので、収容体３からはおろし汁９のみが排出されることとなる。
【００３５】
また、すりおろし食材２とおろし汁９とを分離した状態から、更に、すりおろし部１を引いて寄せ板部４を基端側に引き寄せることで、すりおろし食材２が寄せ板部４によって収容体３の基端側壁面７に押し付けられた状態となり、このとき、すりおろし食材２に含まれる水分が搾り出され、この水分のみが寄せ板部４の表面に設けた通水孔８を通じて収容体３の先端側に流れていくので、例えば、すりおろし食材２に含まれる水分量を多めにしたい場合は、途中で引き寄せる動作を止め、また、すりおろし食材２に含まれる水分量を少なめにしたい場合は、強めの力ですりおろし部１を引き、すりおろし食材２を寄せ板部４と収容体３の基端側壁面７とで十分に圧搾するなどして、容易にすりおろし食材２に含まれる水分量を調節することができる。
【００３６】
このようにして、おろし汁９を分離し排出し、更に水分量も調整したすりおろし食材２を寄せ板部４を利用して掬い上げたり、スプーンや箸などを用いて収容体３より取り出すことで食材のすりおろし作業が終了する。
【００３７】
また、このすりおろし作業において、本実施例は、すりおろし食材２とおろし汁９とを分離する際や、すりおろし食材２に含まれる水分量を調節する際において、人が直接手ですりおろし食材２に触れることが無いので衛生的にも問題がなく、また、布巾や簾などを用いて搾り作業を行うことが無いので、余計な洗いものを増やすようなことも無い非常に実用性に優れた画期的なおろし器となる。
【００３８】
尚、本発明は、本実施例に限られるものではなく、各構成要件の具体的構成は適宜設計し得るものである。
【符号の説明】
【００３９】
１  すりおろし部
２  すりおろし食材
３  収容体
４  寄せ板部
５  上部開口部
６  握持部
７  基端側壁面
８  通水孔
９ おろし汁
15 収容体側握持部
【図１】
0005351665.tif 000002
【図２】
0005351665.tif 000003
【図３】
0005351665.tif 000004
【図４】
0005351665.tif 000005
【図５】
0005351665.tif 000006